(57)【特許請求の範囲】
【請求項１】
一側に表面が形成されるとともに他側に座面が形成された頭部と、
前記頭部の座面から他側に延設された軸部と、
を備え、
前記軸部には、先端が前記他側に開口し、内周にネジ溝が形成された筒状の雌ネジ部が形成されており、
前記頭部の表面側には、指でつまむことが可能なつまみ部が設けられており、
前記つまみ部には、締結具を係合させることが可能な係合部が設けられており、
前記頭部および前記つまみ部が板状に形成されており、
前記つまみ部の厚さ方向が前記頭部の厚さ方向と交差していることを特徴とするボルト。
【請求項２】
前記つまみ部は、当該つまみ部の厚さ方向から視た状態で、前記頭部から離れるにつれて幅狭となる山形に形成されていることを特徴とする請求項１に記載のボルト。
【請求項３】
前記係合部は、前記つまみ部の先端に形成された係合溝部であることを特徴とする請求項１または請求項２に記載のボルト。
【請求項４】
前記軸部の軸方向から視た状態で、前記つまみ部の全体が前記頭部に重なり合っていることを特徴とする請求項１〜３のうちいずれか１項に記載のボルト。
【請求項５】
光源を有する照明部材と、
前記照明部材を保持するケースと、
前記ケースを固定する際に用いられるボルトと、
を備える照明装置であって、
前記ケースは、
開口部を有する空間部が形成されるとともに、前記空間部と外部とを連通して前記ボルトが挿通される挿通孔が形成され、壁部に形成された埋め込み空間内に収容されるケース本体と、
前記ケース本体の前記開口部側に形成され、前記ケース本体を前記埋め込み空間内に収容した状態で前記壁部の表面に当接するフランジ部と、
を備え、
前記ボルトは、
一側に表面が形成されるとともに他側に座面が形成され、前記空間部内に配置される頭部と、
前記頭部の座面から他側に延設され、先端が前記空間部側から前記挿通孔に挿通される軸部と、
を備え、
前記軸部には、先端が前記他側に開口して内周にネジ溝が形成され、前記埋め込み空間内に配置された既設ボルトの雄ネジ部に締結することが可能な筒状の雌ネジ部が形成されており、
前記頭部の表面側には、指でつまむことが可能なつまみ部が設けられており、
前記つまみ部には、締結具を係合させることが可能な係合部が設けられており、
前記頭部および前記つまみ部が板状に形成されており、
前記つまみ部の厚さ方向が前記頭部の厚さ方向と交差していることを特徴とする照明装置。
【請求項６】
前記雌ネジ部と前記雄ネジ部との締結部位が、前記埋め込み空間内における前記ケース本体の外方に位置することを特徴とする請求項５に記載の照明装置。
【請求項７】
前記つまみ部は、当該つまみ部の厚さ方向から視た状態で、前記頭部から離れるにつれて幅狭となる山形に形成されていることを特徴とする請求項５または請求項６に記載の照明装置。
【請求項８】
前記係合部は、前記つまみ部の先端に形成された係合溝部であることを特徴とする請求項５〜７のうちいずれか１項に記載の照明装置。
【請求項９】
前記軸部の軸方向から視た状態で、前記つまみ部の全体が前記頭部に重なり合っていることを特徴とする請求項５〜８のうちいずれか１項に記載の照明装置。
【請求項１０】
光源を有する照明部材と前記照明部材を保持するケースとを備える照明装置の壁部への取付方法であって、
前記ケースのケース本体を、当該ケース本体に形成された空間部の開口部が前記壁部の表面側を向いた状態で、前記壁部に形成された埋め込み空間内に収容するとともに、前記ケース本体の前記開口部側に形成されたフランジ部を前記壁部の表面に当接させて、前記埋め込み空間内に配置された既設ボルトの雄ネジ部と前記ケース本体に形成された挿通孔との位置合わせを行う位置合わせ工程と、
一側に表面が形成されるとともに他側に座面が形成された板状の頭部と、前記頭部の座面から他側に延設された軸部と、を備えるボルトの前記軸部を前記開口部側から前記空間部内に導入して前記挿通孔に挿通するボルト挿通工程と、
前記軸部に形成され、先端が前記他側に開口して内周にネジ溝が形成された筒状の雌ネジ部を、前記既設ボルトの雄ネジ部に締結するボルト締結工程と、
前記照明部材を前記空間部内に収容して保持する照明部材保持工程と、
を備え、
前記ボルト締結工程は、
前記頭部の表面側に設けられた板状のつまみ部であって、厚さ方向が前記頭部の厚さ方向と交差しているつまみ部を指でつまんで前記ボルトを回動させることで、前記雌ネジ部を前記既設ボルトの雄ネジ部に締結する第１のボルト締結工程、または、
前記つまみ部に設けられた係合部に締結具を係合させて前記ボルトを回動させることで、前記雌ネジ部を前記既設ボルトの雄ネジ部に締結する第２のボルト締結工程、
を含むことを特徴とする照明装置の壁部への取付方法。
【請求項１１】
前記ボルト締結工程では、前記埋め込み空間内における前記ケース本体の外部に位置する前記既設ボルトの雄ネジ部に前記雌ネジ部を締結させていることを特徴とする請求項１０に記載の照明装置の壁部への取付方法。
【発明の詳細な説明】
【技術分野】
【０００１】
本発明は、ボルト、当該ボルトを用いて壁部に取り付けられる照明装置、および照明装置の壁部への取付方法に関する。
【背景技術】
【０００２】
従来、照明装置として、天井に形成された埋め込み穴に収容固定される天井埋め込み型の照明装置が知られている。
【０００３】
このような天井埋め込み型の照明装置は、照明部材が収容されたケース本体を天井に形成された埋め込み穴に収容するとともに、ケース本体に形成されたフランジ部を埋め込み穴周縁の天井面に当接させた状態で、天井に埋め込み固定されている。
【０００４】
このとき、ケース本体は、一般的に、埋め込み穴に配置された吊り下げボルトの先端をケース本体に形成された挿通孔に挿通し、吊り下げボルトの先端に形成された雄ネジ部にナットを締結することで埋め込み穴に収容固定される。
【０００５】
ところで、経年劣化や省エネ化等の理由で既設の照明装置を新たな照明装置に入れ替える作業が行われることがあるが、近年、照明装置の薄型化が促進されているため、照明装置の入替作業を行う際に、既設の照明装置を薄型の照明装置に入れ替える場合がある。
【０００６】
このように、比較的厚みのある既設の照明装置を薄型の照明装置に入れ替える場合、既設の吊り下げボルトの雄ネジ部をケース本体の挿通孔に挿通させることができないことがあり、既設の吊り下げボルトも新たなものに取り替える必要があった。そして、既設の吊り下げボルトも新たなものに取り替えると、作業工程が増加してしまう上、コストも増加してしまう。
【０００７】
そこで、このような課題を解決するために、例えば、特許文献１に記載の技術が提案されている。
【０００８】
この特許文献１では、延長ナットの一端側に既設の吊り下げボルトを締結するとともに、他端側に延長ボルトを締結することで、既設の吊り下げボルトを取り外すことなく新たな照明装置を取り付けるようにしている。
【先行技術文献】
【特許文献】
【０００９】
【特許文献１】実用新案登録第３１５３９１２号公報
【発明の概要】
【発明が解決しようとする課題】
【００１０】
しかしながら、上記従来技術では、新たな照明装置を取り付ける際に、既設の吊り下げボルトを延長ナットに締結するとともに延長ボルトを延長ナットに締結した後で、延長ボルトの先端をさらにナットで締結させる必要がある。
【００１１】
このように、上記従来技術では、既設の吊り下げボルトを新たなものに取り替える必要はなくなるが、照明装置を取り付ける際に手間がかってしまう。
【００１２】
そこで、本発明は、作業工程をより簡素化させることのできるボルト、当該ボルトを用いて壁部に取り付けられる照明装置、および照明装置の壁部への取付方法を得ることを目的とする。
【課題を解決するための手段】
【００１３】
本発明にかかるボルトは、一側に表面が形成されるとともに他側に座面が形成された頭部と、前記頭部の座面から他側に延設された軸部と、を備えており、前記軸部には、先端が前記他側に開口し、内周にネジ溝が形成された筒状の雌ネジ部が形成されている。そして、前記頭部の表面側には、指でつまむことが可能なつまみ部が設けられており、前記つまみ部には、締結具を係合させることが可能な係合部が設けられており、前記頭部および前記つまみ部が板状に形成されており、前記つまみ部の厚さ方向が前記頭部の厚さ方向と交差している。
【００１４】
また、本発明にかかる照明装置は、光源を有する照明部材と、前記照明部材を保持するケースと、前記ケースを固定する際に用いられるボルトと、を備えている。また、前記ケースは、開口部を有する空間部が形成されるとともに、前記空間部と外部とを連通して前記ボルトが挿通される挿通孔が形成され、壁部に形成された埋め込み空間内に収容されるケース本体を備えている。さらに、前記ケースは、前記ケース本体の前記開口部側に形成され、前記ケース本体を前記埋め込み空間内に収容した状態で前記壁部の表面に当接するフランジ部を備えている。一方、前記ボルトは、一側に表面が形成されるとともに他側に座面が形成され、前記空間部内に配置される頭部と、前記頭部の座面から他側に延設され、先端が前記空間部側から前記挿通孔に挿通される軸部と、を備えている。また、前記軸部には、先端が前記他側に開口して内周にネジ溝が形成され、前記埋め込み空間内に配置された既設ボルトの雄ネジ部に締結することが可能な筒状の雌ネジ部が形成されている。そして、前記頭部の表面側には、指でつまむことが可能なつまみ部が設けられており、前記つまみ部には、締結具を係合させることが可能な係合部が設けられており、前記頭部および前記つまみ部が板状に形成されており、前記つまみ部の厚さ方向が前記頭部の厚さ方向と交差している。
【００１５】
また、本発明にかかる照明装置の壁部への取付方法は、光源を有する照明部材と前記照明部材を保持するケースとを備える照明装置の壁部への取付方法である。
【００１６】
そして、照明装置の壁部への取付方法は、位置合わせ工程と、ボルト挿通工程と、ボルト締結工程と、照明部材保持工程と、を備えている。
【００１７】
位置合わせ工程は、前記ケースのケース本体を、当該ケース本体に形成された空間部の開口部が前記壁部の表面側を向いた状態で、前記壁部に形成された埋め込み空間内に収容する。そして、前記ケース本体の前記開口部側に形成されたフランジ部を前記壁部の表面に当接させる。そして、かかる状態で、前記埋め込み空間内に配置された既設ボルトの雄ネジ部と前記ケース本体に形成された挿通孔との位置合わせを行う工程である。
【００１８】
ボルト挿通工程は、一側に表面が形成されるとともに他側に座面が形成された板状の頭部と、前記頭部の座面から他側に延設された軸部と、を備えるボルトの前記軸部を前記開口部側から前記空間部内に導入して前記挿通孔に挿通する工程である。
【００１９】
ボルト締結工程は、前記軸部に形成され、先端が前記他側に開口して内周にネジ溝が形成された筒状の雌ネジ部を、前記既設ボルトの雄ネジ部に締結する工程である。
【００２０】
照明部材保持工程は、前記照明部材を前記空間部内に収容して保持する工程である。
【００２１】
そして、前記ボルト締結工程は、第１のボルト締結工程、または、第２のボルト締結工程を含んでいる。
【００２２】
第１のボルト締結工程は、前記頭部の表面側に設けられた板状のつまみ部であって、厚さ方向が前記頭部の厚さ方向と交差しているつまみ部を指でつまんで前記ボルトを回動させることで、前記雌ネジ部を前記既設ボルトの雄ネジ部に締結する工程である。一方、第２のボルト締結工程は、前記つまみ部に設けられた係合部に締結具を係合させて前記ボルトを回動させることで、前記雌ネジ部を前記既設ボルトの雄ネジ部に締結する工程である。
【発明の効果】
【００２３】
本発明によれば、作業工程をより簡素化させることのできるボルト、当該ボルトを用いて壁部に取り付けられる照明装置、および照明装置の壁部への取付方法を得ることができる。
【図面の簡単な説明】
【００２４】
【図１】本発明の一実施形態にかかるボルトを示す図であって、（ａ）は斜視図、（ｂ）は正面図である。
【図２】本発明の一実施形態にかかるボルトおよび当該ボルトによって締結される既設ボルトを示す側面図である。
【図３】照明装置が天井に埋め込み固定されている状態を示す斜視図である。
【図４】既設の照明装置が天井に埋め込み固定されている状態を示す断面図である。
【図５】本発明の一実施形態にかかる照明装置のケースを既設の埋め込み空間に収容した状態を示す図であって、（ａ）は断面図、（ｂ）は裏面側から視た斜視図である。
【図６】本発明の一実施形態にかかる照明装置が天井に埋め込み固定されている状態を示す図であって、（ａ）は断面図、（ｂ）は裏面側から視た斜視図である。
【図７】本発明の一実施形態にかかる照明装置のケース本体に形成された挿通孔と埋め込み空間内に配置された既設ボルトの雄ネジ部とを位置合わせした状態を示す斜視図である。
【図８】本発明の一実施形態にかかる照明装置のケース本体に形成された挿通孔と埋め込み空間内に配置された既設ボルトの雄ネジ部とを位置合わせした状態を示す断面図である。
【図９】本発明の一実施形態にかかる照明装置のボルトのつまみ部を指でつまんで雌ネジ部を既設ボルトの雄ネジ部に締結している状態を示す斜視図である。
【図１０】本発明の一実施形態にかかる照明装置のボルトのつまみ部を指でつまんで雌ネジ部を既設ボルトの雄ネジ部に締結している状態を示す断面図である。
【図１１】本発明の一実施形態にかかるつまみ部に設けられた係合部に締結具を係合させて雌ネジ部を既設ボルトの雄ネジ部に締結している状態を示す斜視図である。
【図１２】本発明の一実施形態にかかるつまみ部に設けられた係合部に締結具を係合させて雌ネジ部を既設ボルトの雄ネジ部に締結している状態を示す断面図である。
【発明を実施するための形態】
【００２５】
以下、本発明の実施の形態について、図面を参照しながら説明する。なお、以下では、壁部としての天井に形成された埋め込み穴に埋め込まれた状態で取り付けられる照明装置（天井埋め込み型の照明装置）を例示する。
【００２６】
まず、ボルト４０の構成を説明する。
【００２７】
本実施形態にかかるボルト４０は、図１（ａ）に示すように、頭部４１と軸部４２とを備えている。このボルト４０は、真鍮等の金属により形成することができる。
【００２８】
本実施形態では、頭部４１は、円板状（板状）に形成されており、円板状の頭部４１の板厚方向の一方側（一側）が平坦状の表面４１ａとなっている。また、円板状の頭部４１の板厚方向の他方側（他側）が平坦状の座面４１ｂとなっている。なお、頭部４１の形状は円板状などの板状に限られるものではなく、様々な形状とすることができる。
【００２９】
軸部４２は、頭部４１よりも小径の円柱状をしており、頭部４１の座面４１ｂから他側に向けて延設されている。なお、本実施形態では、頭部４１と軸部４２は同心となるように形成されている。
【００３０】
さらに、本実施形態では、軸部４２に雌ネジ部４３を設けている。この雌ネジ部４３は、先端４３ａに他側に開口する開口部４３ｂが形成された筒状をしており、筒状の雌ネジ部４３の内周にネジ溝４３ｃが形成されている。そして、筒状の雌ネジ部４３の開口部４３ｂから、例えば、後述する既設ボルト１５の先端１５ａに形成された雄ネジ部１５ｂ等、相手側ボルトの雄ネジ部が挿入される（図２参照）。
【００３１】
本実施形態では、雌ネジ部４３のネジ溝４３ｃは、軸部４２の先端４２ａから根元部４２ｂ側にかけて連続して形成されており、軸部４２の他側の半分以上が雌ネジ部４３となっている。すなわち、円柱状の根元部４２ｂと、先端４２ａから根元部４２ｂの他側にかけて連設された円筒状の雌ネジ部４３と、で軸部４２が形成されている。本実施形態では、雌ネジ部４３の軸方向の長さを約１００ｍｍとしている。なお、軸部４２における雌ネジ部４３（ネジ溝４３ｃ）が形成される範囲は、適宜設定することができる。
【００３２】
一方、頭部４１の表面４１ａ側には、作業者６０の指６１でつまむことが可能なつまみ部４４が設けられている（図９および図１０参照）。
【００３３】
つまみ部４４は板状をしており、この板状のつまみ部４４が表面４１ａから一側に突出した状態で頭部４１に設けられている。本実施形態では、板状のつまみ部４４は、頭部４１の表面４１ａと直交するように突設されている。したがって、板状のつまみ部４４は、当該つまみ部４４の厚さ方向が板状の頭部４１の厚さ方向と直交（交差）するように頭部４１に設けられている。
【００３４】
さらに、このつまみ部４４は、図２に示すように、ボルト４０の側面視（つまみ部４４の厚さ方向から視た状態）で、頭部４１から離れるにつれて幅狭となる山形に形成されている。このように、本実施形態では、つまみ部４４は、根元部４４ａ側が幅広となるととともに、先端４４ｂ側が幅狭となるテーパ状に形成されている。
【００３５】
また、つまみ部４４は、ボルト４０の正面視（軸部４２の軸方向から視た状態）で、つまみ部４４の全体が頭部４１に重なり合うように形成されている。つまり、本実施形態では、図１（ｂ）に示すように、ボルト４０の正面視で、頭部４１の輪郭によって画成される領域（図１（ｂ）の円周およびその内部の領域）内のみに、つまみ部４４の領域（図１（ｂ）の円内の長方形の領域）が存在するようにしている。換言すると、ボルト４０の正面視で、頭部４１からはみ出さないようにつまみ部４４を形成している。
【００３６】
そして、つまみ部４４の先端４４ｂの中央部には、一側に開口する係合溝部（係合部）４５が形成されており、この係合溝部４５に、マイナスドライバー７０などの締結具を差し込む（係合させる）ことができるようになっている。
【００３７】
かかる構成のボルト４０は、例えば、照明装置のケース本体を、建物の壁部に形成された埋め込み穴に収容した状態で固定する際に用いることができる。
【００３８】
以下では、天井（壁部）１０の埋め込み空間１４内に埋め込み固定された既設照明装置２０と、既設照明装置２０が埋め込まれていた埋め込み空間１４内に、既設照明装置２０に替えて埋め込み固定される新たな照明装置３０の２つの照明装置を例にして説明する。
【００３９】
まず、既設照明装置２０の構成および既設照明装置２０の天井１０への取り付け構造について説明する。
【００４０】
既設照明装置２０は、例えば鉄などの金属で形成されたケース２１を備えており、このケース２１内に照明部材２６が収容保持されている。
【００４１】
ケース２１は、ケース本体２２を備えており、このケース本体２２は、奥壁２３と奥壁２３の周囲から立説された側壁２４とで一端が開口した箱状に形成されている。
【００４２】
ケース本体２２には、一端に開口部２２ａを有する空間部２２ｂが形成されており、この空間部２２ｂ内に、照明部材２６が収容保持されている。なお、本実施形態では、直方体状に形成されたケース本体２２を例示しているが、ケース本体の形状はこれに限られるものではなく、様々な形状とすることができる。
【００４３】
また、ケース本体２２の開口部２２ａ側、すなわち、側壁２４の開口部２２ｂ側の先端には、フランジ部２５が外方に延在するように形成されている。さらに、奥壁２３の中央部には、挿通孔２３ａが奥壁２３を厚さ方向に貫通するように形成されている。この挿通孔２３ａは、丸孔であってもよいし長孔であってもよい。
【００４４】
一方、天井１０には、室内側に開口部１４ａが形成された埋め込み空間１４が形成されており、この埋め込み空間１４にケース本体２２が収容される。
【００４５】
具体的には、天井１０は、図４に示すように、基部１１と、基部１１から離間するように配置された天井壁１２と、を備えており、基部１１と天井壁１２との間には、配線等を配置することが可能な天井空間１３が形成されている。
【００４６】
そして、天井壁１２にケース本体２２の幅寸法および長さ寸法に対応した開口部１２ａを形成することで、開口部１４ａを有し、ケース２１のケース本体２２を収容可能な埋め込み空間１４を形成している。このような埋め込み空間１４にケース本体２２を収容させると、フランジ部２５が天井壁１２の壁面（壁部の表面）１２ａに当接することとなる。
【００４７】
なお、天井空間が形成されていない天井壁に埋め込み空間を形成することも可能である。
【００４８】
また、基部１１にはボルトが下方に向けて突出するように固定されており、このボルトが雄ネジ部１５ｂを有する既設ボルト１５となっている。
【００４９】
本実施形態では、既設ボルト１５は、ケース本体２２を埋め込み空間１４に収容してフランジ部２５を天井壁１２の壁面１２ａに当接させた状態で、先端１５ａが挿通孔２３ａを通過してケース本体２２の空間部２２ｂ内に突出するように、基部１１に設けられている。
【００５０】
そして、ケース本体２２の空間部２２ｂ内に突出した先端１５ａにナット５０を締結することで、ケース本体２２（ケース２１）が、天井１０に形成された埋め込み空間１４内に収容固定されている。なお、ケース本体２２の挿通孔２３ａの周囲には、ケース本体２２が変形してしまうのを抑制する補強板２７が設けられている。本実施形態では、略Ｕ字状の補強板２７を空間部２２ｂ内で奥壁２３に取り付けている。しかしながら、補強板の形状はこれに限られるものではない。また、補強板を取り付ける部位も適宜設定することができる。
【００５１】
このように、ケース２１は、開口部２２ａを有する空間部２２ｂが形成されるとともに、空間部２２ｂと外部とを連通して既設ボルト１５が挿通される挿通孔２３ａが形成され、天井１０に形成された埋め込み空間１４内に収容されるケース本体２２を備えている。
【００５２】
また、ケース２１は、ケース本体２２の開口部２２ａ側に形成され、ケース本体２２を埋め込み空間１４内に収容した状態で天井壁１２の表面１２ｂに当接するフランジ部２５を備えている。
【００５３】
そして、天井１０に形成された埋め込み空間１４内にケース本体２２（ケース２１）を収容固定した状態で、照明部材２６をケース本体２２の空間部２２ｂ内に収容保持することで、天井１０に埋め込み固定された既設照明装置２０が形成されている。
【００５４】
この照明部材２６としては様々な種類の照明部材を用いることができ、本実施形態では、光源２６ａと、光源２６ａから出射された光を反射する反射板２６ｂと、を備えるものを例示している。
【００５５】
また、光源２６ａとしても、様々な種類の光源を用いることができ、本実施形態では、図３に示すように、直管形のランプを例示している。また、直管形のランプとしては、例えば、青色光を発するＬＥＤと、黄色の蛍光を発する蛍光体とを用いて、高輝度の白色光を出射するものを用いることができる。
【００５６】
そして、この光源２６ａは、ブラケット２６ｄを介してケース本体２２に固定されたソケット２６ｃに取り付けられている。
【００５７】
次に、既設照明装置２０の替わりに埋め込み空間１４に埋め込み固定される照明装置３０の構成および照明装置３０の天井１０への取り付け構造について説明する。
【００５８】
照明装置３０も、既設照明装置２０と同様に、例えば鉄などの金属で形成されたケース３１を備えており、このケース３１内に照明部材３６が収容保持されている。
【００５９】
そして、ケース３１は、開口部３２ａを有する空間部３２ｂが形成されるとともに、空間部３２ｂと外部とを連通してボルト４０が挿通される挿通孔３３ａが形成され、天井１０に形成された埋め込み空間１４内に収容されるケース本体３２を備えている。
【００６０】
ケース本体３２は、奥壁３３と奥壁３３の周囲から立説された側壁３４とで一端が開口した箱状に形成されている。このケース本体３２の幅寸法および長さ寸法は、上述した既設照明装置２０のケース本体２２とほぼ同様の寸法となっているが、厚さがケース本体２２よりも薄くなっている。なお、ケース本体の形状はこれに限られるものではなく、既設照明装置２０を取り外した埋め込み空間１４に収容可能な形状である限り、様々な形状とすることが可能である。
【００６１】
さらに、奥壁３３の中央部には、挿通孔３３ａが奥壁３３を厚さ方向に貫通するように形成されている。この挿通孔３３ａは、丸孔であってもよいし長孔であってもよい。
【００６２】
そして、ケース本体３２の挿通孔３３ａの周囲には、ケース本体３２が変形してしまうのを抑制する補強板３７が設けられている。本実施形態では、略Ｕ字状の補強板３７を空間部３２ｂ内で奥壁３３に取り付けている。しかしながら、補強板の形状はこれに限られるものではない。また、補強板を取り付ける部位も適宜設定することができる。
【００６３】
また、ケース３１は、ケース本体３２の開口部３２ａ側に形成され、ケース本体３２を埋め込み空間１４内に収容した状態で天井壁１２の表面１２ｂに当接するフランジ部３５を備えている。このフランジ部３５は、ケース本体３２の開口部３２ａ側、すなわち、側壁３４の開口部３２ｂ側の先端に、外方に延在するように形成されている。
【００６４】
また、照明部材３６としては様々な種類の照明部材を用いることができる。本実施形態では、光源３６ａと、光源３６ａから出射された光を反射する反射板３６ｂと、を備えるものを例示している。
【００６５】
また、光源３６ａとしても、様々な種類の光源を用いることができ、本実施形態では、図３に示すように、直管形のランプを例示している。また、直管形のランプとしては、例えば、青色光を発するＬＥＤと、黄色の蛍光を発する蛍光体とを用いて、高輝度の白色光を出射するものを用いることができる。
【００６６】
そして、この光源３６ａは、ブラケット３６ｄを介してケース本体３２に固定されたソケット３６ｃに取り付けられている。
【００６７】
上述したように、照明装置３０のケース本体３２は、厚さがケース本体２２の厚さよりも薄くなっている。したがって、天井１０に形成された埋め込み空間１４内にケース本体３２（ケース３１）を収容しても、既設ボルト１５が奥壁３３の挿通孔３３ａに挿通されない（図５参照）。すなわち、奥壁３３と既設ボルト１５の先端１５ａとの間に隙間Ｄが形成されてしまう。
【００６８】
そのため、本実施形態では、上述したボルト４０を既設ボルト１５に締結することで、照明装置３０のケース本体３２を埋め込み空間１４内に収容固定させている。
【００６９】
具体的には、ボルト４０は、頭部４１が空間部３２ｂ内に配置されるとともに軸部４２が挿通孔３３ａに挿通された状態で、ケース本体３２に配置されている。そして、軸部４２に形成された筒状の雌ネジ部４３が既設ボルト１５の雄ネジ部１５ｂに締結されている。このとき、雌ネジ部４３と雄ネジ部１５ｂとの締結部位（雄ネジ部１５ｂのうち雌ネジ部４３の筒内に挿入された部位）８０は、埋め込み空間１４内におけるケース本体３２の外方に位置することとなる。
【００７０】
本実施形態では、かかる構成とすることで、照明装置３０のケース本体３２が埋め込み空間１４内に収容固定されるようにしている。したがって、照明装置３０の天井（壁部）１０への取付に用いられるボルト４０は、上述した従来技術の延長ナットおよび延長ボルトの機能だけでなく、延長ボルトに締結されるケース固定用のナットの機能をも兼ね備えている。
【００７１】
そして、照明部材３６をケース本体３２の空間部３２ｂ内に収容保持することで、天井１０に埋め込み固定された照明装置３０が形成される。
【００７２】
なお、本実施形態では、ケース本体３２の厚さがケース本体２２の厚さよりも薄くなっている点、および挿通孔３３ａに挿通させたボルト４０を既設ボルト１５に締結している点を除き、基本的には上記既設照明装置２０と同様の構成の照明装置３０を例示した。
【００７３】
しかしながら、照明装置３０の光源３６ａを既設照明装置２０で用いられている光源２６ａとは別の種類の光源としたり、反射板３６ｂの形状を反射板２６ｂの形状とは異なるようにしたりする変更を適宜に行うことが可能である。
【００７４】
また、本実施形態では、ボルト４０の雌ネジ部４３を軸部４２の先端４２ａから根元部４２ｂ側にかけて連続して形成しており、このボルト４０を用いて取り付けることのできる照明装置の厚さにある程度の幅を持たせている。したがって、照明装置３０よりも厚さが厚い照明装置であっても、厚さが薄い照明装置であっても、厚みの差が所定範囲以内であれば、このボルト４０を用いて取り付けることができる。
【００７５】
次に、既設ボルト１５によって天井１０に埋め込み固定された既設照明装置２０を、既設ボルト１５を取り外すことなく薄型化された新たな照明装置３０に入れ替える方法の一例を説明する。
【００７６】
すなわち、薄型化された新たな照明装置３０の天井（壁部）１０への取付方法の一例を説明する。
【００７７】
まず、ケース３１のケース本体３２を、空間部３２ｂの開口部３２ａが下側（天井壁１２の壁面１２ａ側：壁部の表面側）を向いた状態で、天井（壁部）１０に形成された埋め込み空間１４内に収容する。
【００７８】
そして、ケース本体３２を埋め込み空間１４内に収容させながらケース本体３２の開口部３２ａ側に形成されたフランジ部３５を天井壁１２の壁面（壁部の表面）１２ａに当接させる。
【００７９】
すなわち、ケース本体３２を埋め込み空間１４内に収容させつつケース本体３２の開口部３２ａ側に形成されたフランジ部３５を天井壁１２の壁面（壁部の表面）１２ａに当接させた状態とする（図５，図７および図８参照）。
【００８０】
そして、かかる状態で、埋め込み空間１４内に配置された既設ボルト１５とケース本体３２に形成された挿通孔３３ａとの位置合わせを行う（位置合わせ工程）。なお、ケース本体３２の側壁３４と天井壁１２との間に隙間が形成されないようにした場合、ケース本体３２を埋め込み空間１４内に収容させてフランジ部３５を壁面１２ａに当接させるだけで位置合わせも行うことができる。
【００８１】
次に、ボルト４０の軸部４２を開口部３２ａ側から空間部３２ｂ内に導入し、軸部４２を先端４２ａから挿通孔３３ａに挿通する（ボルト挿通工程）。
【００８２】
次に、ボルト４０の軸部４２を挿通孔３３ａに挿通した状態で、筒状の雌ネジ部４３を既設ボルト１５の雄ネジ部１５ｂに締結する（ボルト締結工程）。
【００８３】
具体的には、図９および図１０に示すように、頭部４１の表面４１ａ側に設けられたつまみ部４４を指６１でつまんでボルト４０を回動させることで、雌ネジ部４３を既設ボルト１５の雄ネジ部１５ａに締結する（第１のボルト締結工程）。なお、本実施形態では、指６１でつまみやすいつまみ部４４をボルト４０に形成しているため、作業者６０の指６１で雌ネジ部４３を既設ボルト１５の雄ネジ部１５ａに締結するだけでも、ボルト４０の締結に必要な締め付けトルクを得ることが可能である。したがって、この第１のボルト締結工程だけで、ボルト４０の締結を完了させることができる。
【００８４】
しかしながら、指６１による締結で得ることのできる締め付けトルクには限界があるため、より強い締め付けトルクでボルト４０を締結させたい場合には、以下の第２のボルト締結工程を行うことができる。また、作業者６０の指６１でボルト４０を既設ボルト１５に仮止めし、その後に、第２のボルト締結工程を行うこともできる。
【００８５】
具体的には、図１１および図１２に示すように、雌ネジ部４３と雄ネジ部１５ａを仮締結状態とした後に、つまみ部４４に設けられた係合溝（係合部）４５にマイナスドライバー（締結具）７０を差し込んで（係合させて）ボルト４０を回動させる。こうすることで、雌ネジ部４３を既設ボルト１５の雄ネジ部１５ａに締結する（第２のボルト締結工程）。
【００８６】
なお、第１のボルト締結工程は行わず、第２のボルト締結工程のみ行うようにすることもできる。
【００８７】
また、このボルト締結工程では、埋め込み空間１４内におけるケース本体３２の外部に位置する既設ボルト１５の雄ネジ部１５ｂに雌ネジ部４３を締結させている。
【００８８】
このように、雌ネジ部４３を既設ボルト１５の雄ネジ部１５ａに締結することで、ケース本体３２を埋め込み空間１４内に収容固定させた後に、照明部材３６を空間部３２ｂ内に収容して保持する（照明部材保持工程）。なお、照明部材３６のブラケット３６ｄを予めケース本体３２に取り付けた後で、ケース本体３２を埋め込み空間１４内に収容固定させ、その後に、ブラケット３６ｄ以外の照明部材３６を空間部３２ｂ内に収容して保持するようにしてもよい。
【００８９】
こうして、薄型化された新たな照明装置３０が天井（壁部）１０に埋め込まれた状態で取り付けられる（図６参照）。
【００９０】
以上説明したように、本実施形態のボルト４０は、一側に表面４１ａが形成されるとともに他側に座面４１ｂが形成された頭部４１と、頭部４１の座面４１ｂから他側に延設された軸部４２と、を備えている。そして、軸部４２には、先端４３ａが他側に開口し、内周にネジ溝が形成された筒状の雌ネジ部４３が形成されている。そして、頭部４１の表面４１ａ側には、指６１でつまむことが可能なつまみ部４４が設けられており、つまみ部４４には、マイナスドライバー（締結具）７０を係合させることが可能な係合溝部（係合部）４５が設けられている。
【００９１】
こうすれば、より簡素な構成で、ボルト４０に、延長ナットおよび延長ボルトの機能だけでなく、延長ボルトに締結されるケース固定用のナットの機能をも持たせることができるようになる。
【００９２】
そして、このようなボルト４０を用いることで、作業工程をより簡素化させることができるようになる。
【００９３】
また、本実施形態では、頭部４１およびつまみ部４４が板状に形成されており、つまみ部４４の厚さ方向が頭部４１の厚さ方向と交差している。こうすれば、つまみ部４４を指６１でつまみやすくなり、ボルト４０を用いた締結作業をより容易に行うことができるようになる。
【００９４】
また、本実施形態では、つまみ部４４は、当該つまみ部４４の厚さ方向から視た状態で、頭部４１から離れるにつれて幅狭となる山形に形成されている。こうすることで、つまみ部４４の指６１でつままれる領域を、先端４４ｂ側よりも根元部４４ａ側で大きくすることができる。その結果、つまみ部４４を指６１でつまんで作業する際に、頭部４１の近傍に指６１からの荷重をより効率的に伝えることができるようになるため、より容易に指６１でボルト４０を回動させやすくなる。また、先端４４ｂ側が幅狭となるため、矩形状のつまみ部とした場合に比べて、先端４４ｂ側が変形してしまうのを抑制することができるようになる。
【００９５】
また、本実施形態では、係合部をつまみ部４４の先端に形成された係合溝部４５としている。こうすれば、係合溝部４５に締結具としての小銭等を差し込む（係合させる）ことが可能となって、例えば、取り付け後のボルト４０がゆるんで締め直す際に、マイナスドライバー７０等を用意することなく、締結作業を行うことができるようになる。このように、小銭等の身近にある部材も締結具として用いることができる構成とすることで、締結作業時の手間を省くことができ、より容易に締結作業を行うことができるようになる。
【００９６】
また、本実施形態では、軸部４２の軸方向から視た状態で、つまみ部４４の全体が頭部４１に重なり合うようにしている。こうすることで、ボルト４０が大型化してしまうのを抑制することができる。
【００９７】
また、本実施形態の照明装置３０は、光源２６ａを有する照明部材２６と、照明部材２６を保持するケース３１と、ケース３１を固定する際に用いられるボルト４０と、を備えている。
【００９８】
そして、ケース３１は、開口部３２ａを有する空間部３２ｂが形成されるとともに、空間部３２ｂと外部とを連通してボルト４０が挿通される挿通孔３３ａが形成され、天井（壁部）１０に形成された埋め込み空間１４内に収容されるケース本体３２を備えている。
【００９９】
さらに、ケース３１は、ケース本体３２の開口部３２ａ側に形成され、ケース本体３２を埋め込み空間１４内に収容した状態で天井壁１２の壁面（壁部の表面）１２ａに当接するフランジ部３５を備えている。
【０１００】
一方、ボルト４０は、一側に表面４１ａが形成されるとともに他側に座面４１ｂが形成され、空間部３２ｂ内に配置される頭部４１と、頭部４１の座面４１ｂから他側に延設され、先端４２ａが空間部３２ｂ側から挿通孔３３ａに挿通される軸部４２を備えている。
【０１０１】
また、軸部４２には、先端４３ａが他側に開口して内周にネジ溝４３ｃが形成され、埋め込み空間１４内に配置された既設ボルト１５の雄ネジ部１５ａに締結することが可能な筒状の雌ネジ部４３が形成されている。
【０１０２】
そして、頭部４１の表面４１ａ側には、指６１でつまむことが可能なつまみ部４４が設けられており、つまみ部４４には、マイナスドライバー（締結具）７０を係合させることが可能な係合溝部（係合部）４５が設けられている。
【０１０３】
照明装置３０の構成をかかる構成とすれば、薄型化された場合であっても、既設ボルト１５を取り外すことなく、既設の埋め込み空間１４にケース本体３２を埋め込み固定することができるようになる。
【０１０４】
また、本実施形態の照明装置３０の天井（壁部）１０への取付方法は、光源２６ａを有する照明部材２６と照明部材２６を保持するケース３１とを備える照明装置３０の天井（壁部）１０への取付方法である。
【０１０５】
そして、この照明装置３０の天井（壁部）１０への取付方法は、位置合わせ工程と、ボルト挿通工程と、ボルト締結工程と、照明部材保持工程と、を備えている。
【０１０６】
ここで、位置合わせ工程は、以下のようにして行われる工程である。
【０１０７】
まず、ケース３１のケース本体３２を、当該ケース本体３２に形成された空間部３２ｂの開口部３２ａが下側（天井壁１２の壁面１２ａ側：壁部の表面側）を向いた状態で、天井（壁部）１０に形成された埋め込み空間１４内に収容する。
【０１０８】
そして、ケース本体３２を埋め込み空間１４内に収容させながらケース本体３２の開口部３２ａ側に形成されたフランジ部３５を天井壁１２の壁面（壁部の表面）１２ａに当接させる。
【０１０９】
そして、かかる状態で、埋め込み空間１４内に配置された既設ボルト１５とケース本体３２に形成された挿通孔３３ａとの位置合わせを行う。
【０１１０】
また、ボルト挿通工程は、一側に表面４１ａが形成されるとともに他側に座面４１ｂが形成された頭部４１の座面４１ｂから他側に延設された軸部４２を開口部３２ａ側から空間部３２ｂ内に導入して挿通孔３３ａに挿通する工程である。
【０１１１】
また、ボルト締結工程は、軸部４２に形成され、先端４３ａが他側に開口して内周にネジ溝４３ｃが形成された筒状の雌ネジ部４３を、既設ボルト１５の雄ネジ部１５ｂに締結する工程である。
【０１１２】
また、照明部材保持工程は、照明部材２６を空間部３２ｂ内に収容して保持する工程である。
【０１１３】
そして、ボルト締結工程は、第１のボルト締結工程、または、第２のボルト締結工程を含んでいる。
【０１１４】
第１のボルト締結工程は、頭部４１の表面４１ａ側に設けられたつまみ部４４を指６１でつまんでボルト４０を回動させることで、雌ネジ部４３を既設ボルト１５の雄ネジ部１５ｂに締結する工程である。
【０１１５】
第２のボルト締結工程は、つまみ部４４に設けられた係合溝部（係合部）４５にマイナスドライバー（締結具）７０を係合させてボルト４０を回動させることで、雌ネジ部４３を既設ボルト１５の雄ネジ部１５ｂに締結する工程である。
【０１１６】
このような方法で、照明装置３０を天井（壁部）１０へ取り付けるようにすれば、作業工程をより簡素化させることができる。その結果、既設ボルト１５によって天井１０に埋め込み固定された既設照明装置２０を、既設ボルト１５を取り外すことなく薄型化された新たな照明装置３０に入れ替える作業をより容易に行うことができるようになる。
【０１１７】
また、既設の部品をより多く活用するとともに、より簡素な構成のボルト４０を用いているため、コストの削減を図ることが可能となる。また、取り替え作業にかかる時間を短縮させることが可能となり、かかる点からもコストの削減を図ることができる。
【０１１８】
また、ボルト４０を既設ボルト１５に締結させるだけで、既設ボルトの延長作業およびケース本体３２の取り付け作業が完了するため、取り付け作業性をより向上させることができるようになる。
【０１１９】
以上、本発明の好適な実施形態について説明したが、本発明は上記実施形態には限定されず、種々の変形が可能である。
【０１２０】
例えば、上記実施形態では、天井に形成された埋め込み穴に埋め込まれた状態で取り付けられる天井埋め込み型の照明装置を例示したが、建物の側壁に形成された埋め込み穴に埋め込まれる照明装置とすることも可能である。
【０１２１】
また、ケースや光源、その他細部のスペック（形状、大きさ、レイアウト等）も適宜に変更可能である。
【符号の説明】
【０１２２】
１０  天井（壁部）
１４  埋め込み空間
１５  既設ボルト
１５ｂ  雄ネジ部
３０  照明装置
３１  ケース
３２  ケース本体
３２ａ  開口部
３２ｂ  空間部
３３ａ  挿通孔
３５  フランジ部
３６  照明部材
３６ａ  光源
４０  ボルト
４１  頭部
４１ａ  表面
４１ｂ  座面
４２  軸部
４２ａ  先端
４３  雌ネジ部
４３ａ  先端
４３ｂ  開口部
４４  つまみ部
４４ｂ  先端
４５  係合溝（係合部）
６１  指
７０  マイナスドライバー（締結具）
８０  締結部位
【図１】
0006436392.tif 000002
【図２】
0006436392.tif 000003
【図３】
0006436392.tif 000004
【図４】
0006436392.tif 000005
【図５】
0006436392.tif 000006
【図６】
0006436392.tif 000007
【図７】
0006436392.tif 000008
【図８】
0006436392.tif 000009
【図９】
0006436392.tif 000010
【図１０】
0006436392.tif 000011
【図１１】
0006436392.tif 000012
【図１２】
0006436392.tif 000013